(57)【要約】【課題】強度的に優れ、しかも、作業性が良く、さらに、搬送時等に嵩張らない木造建築用連結具を提供する。【解決手段】２枚１組の金属製連結板１１，１２からなり、これら両連結板１１，１２はそれぞれ、連結部分１３，２５と、この連結部分１３，２５の両横端面の少なくとも一方から延設される横側差し込み部分１４，１５，２６，２７とを一体的に備え、上記両連結部分１１，１２の一方に、その下面から上方に向かって延びる第１係合用縦溝１１ａが形成されているとともに、他方に、その上面から下方に向かって延び上記第１係合用縦溝１１ａに着脱自在に係合する第２係合用縦溝１２ａが形成され、上記両係合用縦溝１１ａ，１２ａを係合させることにより上記両連結部分１１，１２を交差させた状態で連結可能にしている。【選択図】図１
0003132993.tif 000002
【実用新案登録請求の範囲】
【請求項１】
２枚１組の金属製連結板からなり、これら両連結板はそれぞれ、連結部分と、この連結部分の両横端面の少なくとも一方から延設される固定部分とを一体的に備え、上記両連結部分の一方に、その下面から上方に向かって延びる第１係合用縦溝が形成されているとともに、他方に、その上面から下方に向かって延び上記第１係合用縦溝に着脱自在に係合する第２係合用縦溝が形成され、上記両係合用縦溝を係合させることにより上記両連結部分を交差させた状態で連結可能にしたことを特徴とする木造建築用連結具。
【請求項２】
木造建築を構成する垂直材の上下両端部の少なくとも一方に、少なくとも２本の横架材の一端部を連結する連結具であって、２枚１組の金属製連結板からなり、これら両連結板はそれぞれ、連結部分と、この連結部分の両横端面の少なくとも一方から延設される固定部分とを一体的に備え、上記両連結部分の一方に、その下面から上方に向かって延びる第１係合用縦溝が形成されているとともに、他方に、その上面から下方に向かって延び上記第１係合用縦溝に着脱自在に係合する第２係合用縦溝が形成され、上記両係合用縦溝を係合させることにより上記両連結部分を交差させた状態で、これら両連結部分を、上記垂直材の一方の端部に形成された凹部に収容して固定するとともに、各固定部分を、上記各横架材の一端部に形成された凹部に収容して固定しうるように構成したことを特徴とする木造建築用連結具。
【請求項３】
上記垂直材が柱等で、上記横架材が土台，梁，桁等である請求項２記載の木造建築用連結具。
【請求項４】
上記垂直材の一方の端部に形成された凹部が、上記一方の端部の端面を横切る状態でこの端面から垂直材の長手方向に沿って延びる第１のスリットと、この第１のスリットと交差し上記一方の端部の端面を横切る状態でこの端面から垂直材の長手方向に沿って延びる第２のスリットとからなり、上記各横架材の一端部に形成された凹部が、上記各横架材の一端部の端面を横切る状態でこの端面から横架材の長手方向に沿って延びるスリットからなる請求項２または３記載の木造建築用連結具。
【請求項５】
上記連結部分の両横端面の一方のみから固定部分が延設されている請求項１〜４のいずれか一項に記載の木造建築用連結具。
【請求項６】
上記連結部分の両横端面の双方から固定部分が延設されている請求項１〜４のいずれか一項に記載の木造建築用連結具。
【請求項７】
上記連結部分の上端面から固定部分が延設されている請求項１〜６のいずれか一項に記載の木造建築用連結具。
【請求項８】
上記連結部分の両横端面の少なくとも一方から延設される固定部分の上面もしくは下面から、ブレースを連結，固定するためのブレース取付部分が突設されている請求項１〜７のいずれか一項に記載の木造建築用連結具。
【請求項９】
上記連結部分の両横端面の少なくとも一方から延設される固定部分の上面もしくは下面にブレース取付部分が着脱自在に突設されている請求項８記載の木造建築用連結具。
【請求項１０】
上記連結部分の上端面から延設される固定部分の横側面の少なくとも一方から、ブレースを連結，固定するためのブレース取付部分が突設されている請求項７記載の木造建築用連結具。
【請求項１１】
上記連結部分の上端面から延設される固定部分の横側面の少なくとも一方からブレース取付部分が着脱自在に突設されている請求項１０記載の木造建築用連結具。
【請求項１２】
上記連結部分の両横端面の双方から延設される両固定部分の下面から凸部が突設され、これら両凸部間に垂直材が内嵌状に配設されている請求項６〜１１のいずれか一項に記載の木造建築用連結具。
【考案の詳細な説明】
【技術分野】
【０００１】
本考案は、木造建築を構成する構造用材（複数本の垂直材および横架材等）を連結するための木造建築用連結具に関するものである。
【背景技術】
【０００２】
従来から、木造建築を構成する構造用材（柱等の垂直材と梁等の横架材等）とを接合するために、図２９に示すような建築用金具が用いられている。この建築用金具は、柱材５１と梁材５２とを接合するものであり、柱材５１に締結固定される２つのカップ座金部５３（これら両カップ座金部５３はそれぞれ、２つの有底円筒５３ａ，５３ｂ同士を連設したカップ形状で構成されている）と、梁材５２に差込固定される平板差込部５４とを備えている。
【０００３】
そして、柱材５１に梁材５２に接合する場合には、まず、柱材５１に形成された４つのボルト通し穴５１ａ（図３０参照。この図３０では、２つのボルト通し穴５１ａしか図示せず）に４本のボルト５５を挿通し、建築用金具の４つの有底円筒５３ａ，５３ｂを、柱材５１に形成された２つの嵌合凹部５１ｂに嵌め込み、各ボルト５５のねじ部５５ａを各有底円筒５３ａ，５３ｂ内に位置させてナット５６で締付け固定し、その状態で、梁材５２を柱材５１側に移動させて、梁材５２に形成されたスリット５２ａに建築用金具の平板差込部５４を挿入して仮接合状態にする。そののち、上記仮接合状態で係止ピン５７を、柱材５１に形成された係止ピン通し穴５２ｂに梁材５２の側方から打ち込むことにより、平板差込部５４を梁材５２に固定することを行う（例えば、特許文献１参照）。このような建築用金具を用いると、上記柱材５１に複数本（例えば、２本）の梁材５２を接合する場合には、複数個（例えば、２個）の建築用金具を用意し、上記と同様に、上記柱材５１に別々に梁材５２を接合することを行う。
【特許文献１】特開２００５−３２５６３２号公報
【考案の開示】
【考案が解決しようとする課題】
【０００４】
しかしながら、上記の建築用金具では、柱材５１に２つの嵌合凹部５１ｂを形成しなければならず、その分柱材５１，梁材５２の接合部における柱材５１の断面積が小さくなって断面欠損が大きくなり、強度的に劣る。しかも、上記の建築用金具を柱材５１に接合する場合には、柱材５１に形成された４つのボルト通し穴５１ａにそれぞれボルト５５を挿通し、２つのカップ座金部５３を柱材５１の２つの嵌合凹部５１ａに嵌め込み、各ボルト５５のねじ部５５ａを両カップ座金部５３の有底円筒５３ａ，５３ｂ内に位置させてナット５６で締付け固定しなければならず、この作業に手間がかかり、作業性が悪い。さらに、上記の建築用金具では、平板差込部５４に４つの有底円筒５３ａ，５３ｂを一体化したものからなるため、上記の建築用金具が大形化し、搬送時等に嵩張る。
【０００５】
本考案は、このような事情に鑑みなされたもので、強度的に優れ、しかも、作業性が良く、さらに、搬送時等に嵩張らない木造建築用連結具の提供をその目的とする。
【課題を解決するための手段】
【０００６】
上記の目的を達成するため、本考案は、２枚１組の金属製連結板からなり、これら両連結板はそれぞれ、連結部分と、この連結部分の両横端面の少なくとも一方から延設される固定部分とを一体的に備え、上記両連結部分の一方に、その下面から上方に向かって延びる第１係合用縦溝が形成されているとともに、他方に、その上面から下方に向かって延び上記第１係合用縦溝に着脱自在に係合する第２係合用縦溝が形成され、上記両係合用縦溝を係合させることにより上記両連結部分を交差させた状態で連結可能にした木造建築用連結具を第１の要旨とし、木造建築を構成する垂直材の上下両端部の少なくとも一方に、少なくとも２本の横架材の一端部を連結する連結具であって、２枚１組の金属製連結板からなり、これら両連結板はそれぞれ、連結部分と、この連結部分の両横端面の少なくとも一方から延設される固定部分とを一体的に備え、上記両連結部分の一方に、その下面から上方に向かって延びる第１係合用縦溝が形成されているとともに、他方に、その上面から下方に向かって延び上記第１係合用縦溝に着脱自在に係合する第２係合用縦溝が形成され、上記両係合用縦溝を係合させることにより上記両連結部分を交差させた状態で、これら両連結部分を、上記垂直材の一方の端部に形成された凹部に収容して固定するとともに、各固定部分を、上記各横架材の一端部に形成された凹部に収容して固定しうるように構成した木造建築用連結具を第２の要旨とする。
【考案の効果】
【０００７】
すなわち、本考案の第１の木造建築用連結具は、２枚１組の金属製連結板からなっており、これら両連結板の連結部分の一方に第１係合用縦溝が形成されているとともに、他方に、上記第１係合用縦溝に着脱自在に係合する第２係合用縦溝が形成されている。このため、これら両係合用縦溝を係合させることにより、上記両連結部分を交差させた状態で上記両連結部分を連結することができる。したがって、本考案の第１の木造建築用連結具では、木造建築を構成する複数本の構造用材（柱等の垂直材や土台，梁，桁等の横架材等）のうち、第１の構造用材に設けた凹部等に、交差する両連結部分を収容等して固定し、これら交差する両連結部分のうち一方の連結部分から延設される固定部分を、第２の構造用材に設けた凹部等に収容等して固定するとともに、他方の連結部分から延設される固定部分を、第３の構造用材に設けた凹部等に収容等して固定することにより、３本の構造用材を本考案の第１の木造建築用連結具で連結，固定する（接合する）ことができる。
【０００８】
本考案の第１の木造建築用連結具では、第１の構造用材に形成される凹部等は、交差する２つの連結部分を収容しうるものでよいため、上記凹部等の断面積が小さくなって断面欠損が少なくなり、強度的に優れる。しかも、第１の構造用材の凹部等に、交差する２つの連結部分を収容等して固定するだけでよく、作業性に優れる。しかも、本考案の第１の木造建築用連結具は、着脱自在な２枚の連結板で構成されているため、搬送時等には、両連結板を別々にして重ね合わせた状態で搬送することができ、嵩張らない。
【０００９】
また、本考案の第２の木造建築用連結具は、本考案の第１の木造建築用連結具を用い、木造建築を構成する垂直材の上下両端部の少なくとも一方に、少なくとも２本の横架材の一端部を連結するようにしている。したがって、本考案の第２の木造建築用連結具でも、本考案の第１の木造建築用連結具と同様の作用・効果を奏する。
【００１０】
また、上記垂直材の一方の端部に形成された凹部が、上記一方の端部の端面を横切る状態でこの端面から垂直材の長手方向に沿って延びる第１のスリットと、この第１のスリットと交差し上記一方の端部の端面を横切る状態でこの端面から垂直材の長手方向に沿って延びる第２のスリットとからなり、上記各横架材の一端部に形成された凹部が、上記各横架材の一端部の端面を横切る状態でこの端面から横架材の長手方向に沿って延びるスリットからなる場合には、垂直材の一方の端部に、互いに交差する２本のスリットを形成し、各横架材の一端部にそれぞれ１本のスリットを形成するだけで、垂直材および各横架材に凹部を形成することができる。
【００１１】
本発明において、上記連結部分の両横端面の一方のみから固定部分が延設されている場合、例えば、両連結部分の一横端面のみから固定部分が延設されている場合には、延木造建築を構成する垂直材の上下両端部の少なくとも一方に、少なくとも２本の横架材（垂直材に所定の方向に接合される第１の横架材と、この第１の横架材に対し交差する方向で垂直材に接合される第２の横架材）の一端部を接合することができる。すなわち、交差する２つの連結部分を垂直材の上下両端部の少なくとも一方に形成された凹部（例えば、交差する２本のスリット）に収容して固定した状態で、２つの連結部分のうち一方の連結部分から延設される固定部分を第１の横架材の一端部の凹部（例えば、１本のスリット）に差し込んで固定し、他方の連結部分から延設される固定部分を第２の横架材の一端部の凹部（例えば、１本のスリット）に差し込んで固定することにより、垂直材に２本の横架材を接合することができる。
【００１２】
本発明において、上記連結部分の両横端面の双方から固定部分が延設されている場合、例えば、一方の連結部分の両横端面から固定部分が延設され、他方の連結部分の一端横面のみから固定部分が延設されている場合には、垂直材の上下両端部の少なくとも一方に、少なくとも３本の横架材（垂直材に所定の方向に相対向状に接合される第１および第２の横架材と、これら両横架材に対し交差する方向で垂直材に接合される第３の横架材）の一端部を接合することができる。すなわち、交差する２つの連結部分を垂直材の上下両端部の少なくとも一方に形成された凹部（例えば、交差する２本のスリット）に収容して固定した状態で、２つの連結部分のうち一方の連結部分から延設される両固定部分を第１および第２の横架材の一端部の凹部（例えば、１本のスリット）に差し込んで固定し、他方の連結部分から延設される固定部分を第３の横架材の一端部の凹部（例えば、１本のスリット）に差し込んで固定することにより、垂直材に３本の横架材を接合することができる。しかも、一枚の連結板で第１および第２の横架材を垂直材を介して連結しているため、  第１もしくは第２の横架材と、これに接合される一方の固定部分との間に外力が作用しても、この接合部分だけで上記外力を受け止めるのではなく、第２もしくは第１の横架材と他方の固定部分との接合部分でも受け止めることができ、強度的に優れる。
【００１３】
また、例えば、両連結板の両横端面から固定部分が延設されている場合には、垂直材の上下両端部の少なくとも一方に、少なくとも４本の横架材（垂直材に所定の方向に相対向状に接合される第１および第２の横架材と、これら両横架材に対し交差する方向で相対向状に垂直材に接合される第３および第４の横架材）の一端部を接合することができる。すなわち、交差する２つの連結部分を垂直材の上下両端部の少なくとも一方に形成された凹部（例えば、交差する２本のスリット）に収容して固定した状態で、２つの連結部分のうち一方の連結部分から延設される両固定部分を第１および第２の横架材の一端部の凹部（例えば、１本のスリット）に差し込んで固定し、他方の連結部分から延設される両固定部分を第３および第４の横架材の一端部の凹部（例えば、１本のスリット）に差し込んで固定することにより、垂直材に４本の横架材を接合することができる。
【００１４】
本発明において、上記連結部分の上端面から固定部分が延設されている場合には、垂直材の上端部に、別の垂直材の下端部を接合することができる。すなわち、交差する２つの連結部分を垂直材の上下両端部の少なくとも一方に形成された凹部（例えば、交差する２本のスリット）に収容して固定した状態で、その上側に接合される垂直材の下端部に形成された（例えば、交差する２本のスリット）の一方に差し込んで固定することにより、垂直材の上端部に別の垂直材の下端部を接合することができる。
【００１５】
本発明において、上記連結部分の両横端面の少なくとも一方から延設される固定部分の上面もしくは下面から、ブレースを連結，固定するためのブレース取付部分が突設されている場合には、本考案の第１および第２の木造建築用連結具を利用し、ブレースを連結，固定することができる。
【００１６】
本発明において、上記連結部分の両横端面の少なくとも一方から延設される固定部分の上面もしくは下面にブレース取付部分が着脱自在に突設されている場合には、上記固定部分からブレース取付部分を取り外して使用することができる。
【００１７】
本発明において、上記連結部分の上端面から延設される固定部分の横側面の少なくとも一方から、ブレースを接合するためのブレース取付部分が突設されている場合にも、本考案の第１および第２の木造建築用連結具を利用し、ブレースを連結，固定することができる。
【００１８】
本発明において、上記連結部分の上端面から延設される固定部分の横側面の少なくとも一方からブレース取付部分が着脱自在に突設されている場合にも、上記固定部分からブレース取付部分を取り外して使用することができる。
【００１９】
上記連結部分の両横端面の双方から延設される両固定部分の下面から凸部が突設され、これら両凸部間に垂直材が内嵌状に配設されているには、垂直材に連結部分を強固に固定することができる。
【考案を実施するための最良の形態】
【００２０】
つぎに、本考案を実施するための最良の形態について説明する。ただし、本考案は、この実施の形態に限られるものではない。
【００２１】
図１は本考案の木造建築用連結具の一実施の形態を示している。図において、１は木造建築用連結具であり、木造建築（図２参照）を構成する構造用材（複数本の断面形状四角形の柱２等の垂直材および断面形状四角形の土台３，梁４等の横架材）のうち、所定の柱２の上端部２ａに４本の梁４の一端部４ａを互いに直交する状態で接合するとともに、上記柱２の上端部２ａに別の柱２の下端部２ｂを接合し（図３参照）、かつ、金属製ブレース５の一端部を接合する（図４参照）ためのものである。
【００２２】
このような木造建築用連結具１は、平板状に形成された第１連結板１１（図５参照）と、これに直交する状態で連結され平板状に形成された第２連結板１２（図６参照。なお、図４では図示せず）とからなっている。
【００２３】
上記第１連結板１１は、中央の連結部分１３と、この連結部分１３の両横端面から延設される（すなわち、連結部分１３の両横側に形成される）第１および第２横側差し込み部分（固定部分）１４，１５と、上記連結部分１３の上端面から延設される（すなわち、連結部分１３の上側に形成される）上側差し込み部分（固定部分）１６とを一体成形してなる本体部分１７と、この本体部分１７に着脱自在に取り付けられる平板状のブレース取付部分１８（図７参照）とからなっている。
【００２４】
上記連結部分１３には、その下端面の横幅方向中央部から上方に（真上に）向かって所定の距離だけ延びる第１係合用縦溝１１ａが形成されており、上記両連結板１１，１２を直交させた状態で上記第２連結板１２の第２係合用縦溝１２ａに着脱自在に係合するようにしている（図１参照）。
【００２５】
また、上記両横側差し込み部分１４，１５には、その上端面および下端面にそれぞれ、奥側に向かって拡がる係合凹部１４ａ，１５ａが形成されており、これら各係合凹部１４ａ，１５ａにブレース取付部分１８を、その表面側もしくは裏面側から着脱自在に、かつ上方もしくは下方に抜け出し防止状に取り付けることができるようにしている。より詳しく説明すると、上記上端面に形成される上側係合凹部１４ａ，１５ａは、上端面から垂下する垂直辺と、上端面から内側に向かって傾斜状に延びる内側辺と、垂直辺の下端と内側辺の下端とを結ぶ上り傾斜状の下辺とからなる（上面開放状の）四角形状に形成されており、上記下端面に形成される下側係合凹部１４ａ，１５ａは、上側係合凹部１４ａ，１５ａに対応する部分に上側係合凹部１４ａ，１５ａと同様の形状に形成されている。
【００２６】
一方、上記各ブレース取付部分１８は、連結片１８ａと、ボルト挿通穴１８ｃが穿設された取付片１８ｂとからなっており、上記各係合凹部１４ａ，１５ａに上記各連結片１８ａを、その表面側もしくは裏面側から着脱自在に、かつ上方もしくは下方に抜け出し防止状に内嵌できるようにしている。
【００２７】
また、上記両横側差し込み部分１４，１５の下端面は、上記連結部分１３の下端面よりも下側に形成されており、上記両横側差し込み部分１４，１５の下部内端面および連結部分１３の下端面で形成される凹部１９が柱２の上端部２ａに外嵌状に嵌着される。また、上記両横側差し込み部分１４，１５の上端面の端部には、上記各梁４の一端部４ａに挿通された係止ピン（図示せず）を支受するピン支受用凹部２０が形成されている。これらの図において、２１は柱２の上端部２ａに連結部分１３を固定するための係止ピン（図示せず）を挿通するピン挿通穴で、２２は梁４の一端部４ａに横側差し込み部分１４，１５を固定するための係止ピン（図示せず）を挿通するピン挿通穴で、２３は別の柱２に上側差し込み部分１６を固定するための係止ピン（図示せず）を挿通するピン挿通穴である。
【００２８】
一方、第２連結板１２は、中央の連結部分２５と、この連結部分２５の両横端面から一体的に延設される第１および第２横側差し込み部分（固定部分）２６，２７とからなる本体部分２８と、この本体部分２８に着脱自在に固定される平板状のブレース取付部分１８（図６では、１つのブレース取付部分１８しか図示せず）とからなっている。
【００２９】
上記連結部分２５には、その上端面の横幅方向中央部から下方に（真下に）向かって所定の距離だけ延びる第２係合用縦溝１２ａが形成されており、上記したように、上記両連結板１１，１２を直交させた状態で、上記第１連結板１１の第１係合用縦溝１１ａに着脱自在に係合するようにしている（図１参照）。
【００３０】
また、上記両横側差し込み部分２６，２７には、その上端面および下端面にそれぞれ、上記第１連結板１１と同様に、上記各係合凹部１４ａ，１５ａと同じ形状の係合凹部２６ａ，２７ａが形成されており、これら各係合凹部２６ａ，２７ａにブレース取付部分１８の連結片１８ａが、その表面側もしくは裏面側から着脱自在に、かつ上方もしくは下方に抜け出し防止状に内嵌される。
【００３１】
また、上記両横側差し込み部分２６，２７の下端面は、上記連結部分２５の下端面よりも下側に形成されており、上記両横側差し込み部分２６，２７の下部内端面および連結部分２５の下端面で形成される凹部２９が柱２の上端部２ａに外嵌状に嵌着される。また、上記両横側差し込み部分２６，２７の上端面の端部には、上記各梁４の一端部４ａに挿通された係止ピン（図示せず）を支受するピン支受用凹部３０が形成されている。これらの図において、３１は柱２の上端部２ａに連結部分２５を固定するための係止ピン（図示せず）を挿通するピン挿通穴で、３２は梁４の一端部４ａに横側差し込み部分２６，２７を固定するための係止ピン（図示せず）を挿通するピン挿通穴である。
【００３２】
一方、上記各柱２の上端部２ａおよび下端部２ｂ（図３参照）には、その端面から上記柱２の長手方向に（すなわち、上下方向に）延びる十字状スリット７が、上記端面を横切る状態で形成されている。より詳しく説明すると、十字状スリット７の交点が上記端面の中心に位置決めされており、十字状スリット７の一方のスリット７ａが上記端面の一辺に平行に延びてこの端面を横切るとともに、上記一方のスリット７ａに直交する他方のスリット７ｂが、上記端面の（上記一辺に直交する）他辺に平行に延びてこの端面を横切っている。
【００３３】
また、上記各梁４の一端部４ａ（図３参照）には、その端面から上記梁４の長手方向に（すなわち、横方向に）延びる１本のスリット８が、その端面の中心を通って上下に横切る状態で形成されている。なお、上記各梁４の他端部にも、上記一端部４ａと同様に、１本のスリット８が形成さている。
【００３４】
上記の木造建築用連結具１を用い、所定の柱２の上端部２ａに４本の梁４と別の柱２を接合する場合には、まず、第１連結板１１を上側にし、第２連結板１２を下側にし、これら両連結板１１，１２を直交させた状態で両連結板１１，１２の係合用縦溝１１ａ，１２ａ同士を係合させることにより、両連結板１１，１２を連結して木造建築用連結具１とする（図１参照）。ついで、木造建築用連結具１を柱２の上端部２ａの十字状スリット７上に載置する（図９参照）。この状態では、両連結板１１，１２の連結部分１３，２５は柱２の十字状スリット７内に収まっている（図４参照）。また、両連結板１１，１２の凹部１９，２９が柱２の上端部２ａに（横方向への移動防止状に）嵌着している。
【００３５】
つぎに、両連結板１１，１２を柱２の上端部２ａに固定する。この固定は、両連結板１１，１２のピン挿通穴２１，３１に対応する上記柱２の上端部２ａの部分に貫通状に穿設されたピン通し穴（図示せず）に係止ピンを、両連結板１１，１２のピン挿通穴２１，３１を介して打ち込むことにより行う。
【００３６】
つぎに、柱２の上端部２ａに梁４の一端部４ａを近付け、柱２の上端部２ａから横側に突出する横側差し込み部分１４，１５，２６，２７を梁４の一端部４ａのスリット８に差し込むようにして連結し、横側差し込み部分１４，１５，２６，２７のピン支受用凹部２０，３０で、支梁４の一端部４ａに固定した係止ピンを支受した状態で、横側差し込み部分１４，１５，２６，２７を梁４の一端部４ａに、上記と同様に、係止ピンを用いて固定する。この状態では、両横側差し込み部分１４，１５，２６，２７およびブレース取付部分１８の連結片１８ａは各梁４の一端部４ａのスリット８内に収まっており、ブレース取付部分１８の取付片１８ｂは各梁４から突出している（図４参照）。
【００３７】
また、柱２の上端部２ａに別の柱２の下端部２ｂを近付け、柱２の上端部２ａから上側に突出する上側差し込み部分１６を別の柱２の下端部２ｂの十字状スリット７の一方に差し込むようにして連結し、上記と同様に、係止ピンを用いて固定する。この状態では、上側差し込み部分１６は別の柱２の下端部２ｂの十字状スリット７内に収まっている（図４参照）。
【００３８】
また、ブレース取付部分１８の取付片１８ｂとブレース５の一端部に設けた固定板（図示せず）とをボルト止めする。
【００３９】
上記のように、この実施の形態では、柱２の上端部２ａに十字状スリット７を形成しているため、柱２の上端部２ａの断面欠損が小さく、強度的に優れる。しかも、上記上端部２ａの十字状スリット７に木造建築用金具１を載置して固定するだけで、十字状スリット７に木造建築用金具１をセットすることができ、作業性に優れる。しかも、上記木造建築用連結具１は、着脱自在な２枚の連結板１１，１２で構成されているため、搬送時等に両連結板１１，１２を別々にして重ね合わせた状態で搬送することができ、嵩張らない。しかも、ブレース取付部分１８によりブレース５を連結，固定することもできる。さらに、ブレース取付部分１８が両連結板１１，１２に着脱自在であるため、ブレース取付部分１８を取り外した状態でも使用することができる。そのうえ、両連結板１１，１２に設けた凹部１９，２９により、両連結板１１，１２を柱２の上端部２ａに強固に固定することができる。しかも、各連結板１１，１２で相対向する２本の梁４を柱２を介して接合しているため、相対向する２本の梁４のうち一方の梁４と、これに接合される一方の横側差し込み部分１４（１５），２６（２７）との間に外力が作用しても、この接合部分だけで上記外力を受け止めるのではなく、他方の梁４と他方の横側差し込み部分１５（１４），２７（２６）との接合部分でも受け止めることができ、強度的に優れる。
【００４０】
図１０は本考案の木造建築用連結具の他の実施の形態を示している。この実施の形態では、上記木造建築用連結具１を構成する第１連結板１１および第２連結板１２にブレース取付部分１８が一体成形されている。それ以外の部分は上記実施の形態と同様であり、同様の部分には同じ符号を付している。この実施の形態でも、上記実施の形態と同様の作用・効果を奏する。
【００４１】
なお、この実施の形態では、第１連結板１１に全てのブレース取付部分１８が一体成形されているが、これに限定するものではなく、少なくとも１つのブレース取付部分１８が一体成形されていればよい。また、第２連結板１２に１つのブレース取付部分１８だけが一体成形されているが、上記第１連結板１１と同様に、２つ以上のブレース取付部分１８が一体成形されていてもよい。
【００４２】
図１１は本考案の木造建築用連結具のさらに他の実施の形態を示している。この実施の形態では、木造建築用連結具１は、柱２の上端部２ａの相対向する２側面に、直線状に並ぶ２本の梁４の一端部４ａを接合するとともに、上記上端部２ａの、上記両側面に対して直交する一側面に１本の梁４の一端部４ａを接合し（図１２参照）、かつ、金属製ブレース５の一端部を接合する（図１３参照）ためのものである。
【００４３】
このような木造建築用連結具１を構成する第１連結板３３は、図５に示す第１連結板１１において、上側差し込み部分１６を除いたものを用いている。また、第２連結板３４は、図６に示す第２連結板１２において、連結部分２５の一横端面にだけ横側差し込み部分２６を延設したものを用いている。このため、第２連結板３４に凹部２９は形成されていない。それ以外の部分は、図１〜図９に示す実施の形態と同様であり、同様の部分には同じ符号を付している。この実施の形態でも、図１〜図９に示す実施の形態と同様の作用・効果を奏する。
【００４４】
なお、この実施の形態においても、両連結板１１，１２に少なくとも１つのブレース取付部分１８が一体成形されていてもよい。
【００４５】
図１４は本考案の木造建築用連結具のさらに他の実施の形態を示している。この実施の形態では、上記木造建築用連結具１は、所定の柱２の下端部２ｂに４本の土台３の一端部３ａを互いに直交する状態で接合し（図１５参照）、かつ、金属製ブレース５の一端部を連結，固定する（図１６参照）ためのものである。このような木造建築用連結具１は、図１７に示すような第１連結板３６と、図１８に示すような第２連結板３７とからなっている。
【００４６】
上記第１連結板３６は、図５に示す第１連結板１１と同様に、中央の連結部分１３と、この連結部分１３の両横端面から延設される両横側差し込み部分１４，１５と、上記連結部分１３の上端面から延設される上側差し込み部分１６とを一体成形してなる本体部分１７と、この本体部分１７に着脱自在に取り付けられるブレース取付部分１８とからなっているが、両横側差し込み部分３４，３５に係合凹部１４ａ，１５ａが形成されておらず、上側差し込み部分１６の両横端面に、上記係合凹部１４ａ，１５ａと同様形状の係合凹部１６ａが形成されている。そして、これら両係合凹部１６ａにブレース取付部分１８の連結片１８ａが、その表面側もしくは裏面側から着脱自在に、かつ横側方に抜け出し防止状に内嵌される。
【００４７】
一方、第２連結板３７は、図６に示す第２連結板１２と同様に、中央の連結部分２５と、この連結部分２５の両横端面から延設される両横側差し込み部分２６，２７からなる本体部分２８を備えているが、この本体部分２８のみで構成されており、この本体部分２８にブレース取付部分１８が着脱自在に固定されていない。
【００４８】
また、上記両連結板３６，３７において、その両横側差し込み部分１４，１５，２６，２７の上端面には略四角形状の凹部３６ａ，３７ａが形成されており、かつ、上記両横側差し込み部分１４，１５，２６，２７の下端面と、上記連結部分１３，２５の下端面とは一直線状つながる水平面に形成されている。それ以外の部分は、図１〜図９に示す実施の形態と同様であり、同様の部分には同じ符号を付している。
【００４９】
上記の木造建築用連結具１を用い、所定の柱２の下端部２ｂに４本の土台３を接合する場合には、まず、第１連結板３６を上側にし、第２連結板３７を下側にし、これら両連結板３６，３７を直交させた状態で両連結板３６，３７の係合用縦溝１１ａ，１２ａ同士を係合させることにより、両連結板３６，３７を連結して木造建築用連結具１とする（図１４参照）。ついで、木造建築用連結具１上に柱２の下端部２ｂを位置決めして下降させ、木造建築用連結具１を柱２の下端部２ｂの十字状スリット７に嵌合させる（図１９参照）。この状態では、両連結板３６，３７の連結部分１３，２５は柱２の十字状スリット７内に収まっている（図１６参照）。
【００５０】
つぎに、両連結板３６，３７を柱２の下端部２ｂに、上記と同様に、係止ピンを用いて固定する。
【００５１】
つぎに、柱２の下端部２ｂに土台３の一端部３ａを近付け、柱２の下端部２ｂから横側に突出する横側差し込み部分１４，１５，２６，２７を土台３の一端部３ａのスリット８に差し込むようにして連結し、上記と同様に、係止ピンを用いて固定する。この状態では、両横側差し込み部分１４，１５，２６，２７およびブレース取付部分１８の連結片１８ａは各土台３の一端部３ａのスリット８内に収まっており、ブレース取付部分１８の取付片１８ｂは各土台３から突出している。
【００５２】
つぎに、ブレース取付部分１８の取付片１８ｂとブレース５の一端部に設けた固定板とをボルト止めする。
【００５３】
上記のように、この実施の形態では、柱２の下端部２ｂに十字状スリット７を形成しているため、柱２の下端部２ｂの断面欠損が小さく、強度的に優れる。しかも、上記下端部２ｂの十字状スリット７を木造建築用金具１に嵌合して固定するだけで、十字状スリット７に木造建築用金具１をセットすることができ、作業性に優れる。しかも、上記木造建築用連結具１は、着脱自在な２枚の連結板３６，３７で構成されているため、搬送時等に両連結板３６，３７を別々にして重ね合わせた状態で搬送することができ、嵩張らない。さらに、ブレース取付部分１８によりブレース５を接合することもできる。そのうえ、ブレース取付部分１８が上側差し込み部分１６に着脱自在であるため、ブレース取付部分１８を取り外した状態でも使用することができる。
【００５４】
図２０は本考案の木造建築用連結具のさらに他の実施の形態を示している。この実施の形態では、上記木造建築用連結具１は、柱２の下端部２ｂに２本の土台３の一端部３ａを互いに直交する状態で接合し（図２１参照）、かつ、金属製ブレース５の一端部を接合する（図２２参照）ためのものである。
【００５５】
このような木造建築用連結具１を構成する第１連結板３９は、図２３に示すように、図１７に示す第１連結板３６において、連結部分１３の一横端面にだけ横側差し込み部分１４を延設し、かつ、上側差し込み部分１６の一横端面（横側差し込み部分１４がある側の横端面）にだけ係合凹部１６ａを形成している。
【００５６】
また、第２連結板４０は、図２４に示すように、図１８に示す第２連結板３７において、連結部分１３の一横端面にだけ横側差し込み部分２７を延設し、かつ、連結部分１３の上端面（のうち、第２係合用縦溝１２ａより横側差し込み部分２７側の部分）から上方に向かって、ブレース取付部分１８を支持する支持部分４０ａを一体形成し、この支持部分４０ａの一横端面（横側差し込み部分２７がある側の横端面）に、上記係合凹部１６ａと同じ形状の係合凹部４０ｂを形成したものを用いている。それ以外の部分は、図１４〜図１９に示す実施の形態と同様であり、同様の部分には同じ符号を付している。この実施の形態でも、図１４〜図１９に示す実施の形態と同様の作用・効果を奏する。
【００５７】
なお、この実施の形態においても、両連結板３９，４０にブレース取付部分１８が一体成形されていてもよい。
【００５８】
図２５は本考案の木造建築用連結具のさらに他の実施の形態を示している。この実施の形態では、上記木造建築用連結具１は、柱２の上端部２ａに４本の梁４の一端部４ａを互いに直交する状態で接合し（図２６参照）、かつ、金属製ブレース５の一端部を連結，固定するためのものである。
【００５９】
このような木造建築用連結具１を構成する第１連結板４１は、図５に示す第１連結板１１において、上側差し込み部分１６を除いたものを用いている。また、上記両横側差し込み部分１４，１５の上端面にはブレース取付部分１８が一体形成されている。それ以外の部分は、図１〜図９に示す実施の形態と同様であり、同様の部分には同じ符号を付している。この実施の形態でも、図１〜図９に示す実施の形態と同様の作用・効果を奏する。
【００６０】
図２７は本考案の木造建築用連結具のさらに他の実施の形態を示している。この実施の形態では、上記木造建築用連結具１は、柱２の上端部２ａに、この上端部２ａに互いに直交する状態で接合される２本の梁４の一端部４ａを接合するとともに、上記柱２の上側に別の柱２を接合し（図２８参照）、かつ、金属製ブレース５の一端部を接合するためのものである。
【００６１】
このような木造建築用連結具１を構成する第１連結板４２は、図５に示す第１連結板１１において、連結部分１３の一横端面にだけ横側差し込み部分１４を延設したものを用いている。また、上記横側差し込み部分１４の上端面にはブレース取付部分１８が一体形成されている。
【００６２】
また、第２連結板４３は、図１１に示す第２連結板３４を用いている。それ以外の部分は、図１〜図９に示す実施の形態と同様であり、同様の部分には同じ符号を付している。この実施の形態でも、図１〜図９に示す実施の形態と同様の作用・効果を奏する。
【００６３】
なお、この実施の形態においても、両連結板４２，４３に全てのブレース取付部分１８が着脱自在に取り付けられてもよいし、一体形成されていてもよい。
【００６４】
なお、上記各連結板１１，１２，３３，３４，３６，３７，３９，４０，４１，４３を構成する金属材料としては、通常、ＳＳ材（一般構造用圧延鋼材），ＳＭ材（溶接構造用圧延鋼材）等が用いられる。
【図面の簡単な説明】
【００６５】
【図１】本考案の木造建築用連結具の一実施の形態を示す斜視図である。
【図２】木造建築の説明図である。
【図３】接合部分の説明図である。
【図４】上記接合部分の要部の断面図である。
【図５】第１連結板の要部の平面図である。
【図６】第２連結板の平面図である。
【図７】上記第１連結板の本体部分からブレース取付部分を取り外した状態を示す平面図である。
【図８】上記第２連結板の本体部分の平面図である。
【図９】上記木造建築用連結具を柱に取り付けた状態を示す斜視図である。
【図１０】本考案の木造建築用連結具の他の実施の形態を示す平面図である。
【図１１】本考案の木造建築用連結具のさらに他の実施の形態を示す平面図である。
【図１２】接合部分の説明図である。
【図１３】上記接合部分の要部の断面図である。
【図１４】本考案の木造建築用連結具のさらに他の実施の形態を示す斜視図である。
【図１５】接合部分の説明図である。
【図１６】上記接合部分の要部の断面図である。
【図１７】第１連結板の平面図である。
【図１８】第２連結板の平面図である。
【図１９】上記木造建築用連結具を柱に取り付けた状態を示す斜視図である。
【図２０】本考案の木造建築用連結具のさらに他の実施の形態を示す斜視図である。
【図２１】接合部分の説明図である。
【図２２】上記接合部分の要部の断面図である。
【図２３】第１連結板の平面図である。
【図２４】第２連結板の平面図である。
【図２５】本考案の木造建築用連結具のさらに他の実施の形態を示す平面図である。
【図２６】接合部分の説明図である。
【図２７】本考案の木造建築用連結具のさらに他の実施の形態を示す平面図である。
【図２８】接合部分の説明図である。
【図２９】従来例を示す斜視図である。
【図３０】従来例を示す断面図である。
【符号の説明】
【００６６】
１１，１２  連結板
１１ａ  第１係合用縦溝
１２ａ  第２係合用縦溝
１３，２５  連結部分
１４，１５，２６，２７  横側差し込み部分
【図１】
0003132993.tif 000003
【図２】
0003132993.tif 000004
【図３】
0003132993.tif 000005
【図４】
0003132993.tif 000006
【図５】
0003132993.tif 000007
【図６】
0003132993.tif 000008
【図７】
0003132993.tif 000009
【図８】
0003132993.tif 000010
【図９】
0003132993.tif 000011
【図１０】
0003132993.tif 000012
【図１１】
0003132993.tif 000013
【図１２】
0003132993.tif 000014
【図１３】
0003132993.tif 000015
【図１４】
0003132993.tif 000016
【図１５】
0003132993.tif 000017
【図１６】
0003132993.tif 000018
【図１７】
0003132993.tif 000019
【図１８】
0003132993.tif 000020
【図１９】
0003132993.tif 000021
【図２０】
0003132993.tif 000022
【図２１】
0003132993.tif 000023
【図２２】
0003132993.tif 000024
【図２３】
0003132993.tif 000025
【図２４】
0003132993.tif 000026
【図２５】
0003132993.tif 000027
【図２６】
0003132993.tif 000028
【図２７】
0003132993.tif 000029
【図２８】
0003132993.tif 000030
【図２９】
0003132993.tif 000031
【図３０】
0003132993.tif 000032